(57)【要約】【課題】外装筐体に露出して設置される操作部材の設置位置の自由度を向上させ、投写光学装置を交換する際の操作部材の操作性を向上させるプロジェクターを提供する。【解決手段】プロジェクター１のレンズ着脱装置６は、係合位置Ｐ１と非係合位置Ｐ２の間を移動するロックスライダー６３と、ロックスライダー６３を係合位置Ｐ１に向けて付勢する第１付勢部材６１と、外装筐体２に露出して設けられて押圧操作される操作ボタン６５と、投写方向に沿って進退移動するロッド６２と、軸部を有して操作ボタン６５とロッド６２との間に回動可能に設置され、操作ボタン６５とロッド６２とが軸部から離間してそれぞれ逆方向から当接するボタン当接部６６２１、ロッド当接部６６３１を有する伝達レバー６６と、を備える。【選択図】図４
2014071193.tif 000002
【特許請求の範囲】
【請求項１】
画像光を拡大投写すると共に、外面には内部に向けて窪む係合用凹部が形成される投写光学装置と、
前記投写光学装置を支持する支持装置と、
前記支持装置に対して前記投写光学装置を着脱する着脱装置と、
前記投写光学装置、前記支持装置、および前記着脱装置を収納する外装筐体と、を備え、
前記着脱装置は、
投写方向に直交する面内で前記係合用凹部に係合する係合位置、および前記係合用凹部に係合しない非係合位置の間を移動する係合部材と、
前記係合部材を前記係合位置に向けて付勢する付勢部材と、
前記外装筐体に露出して設けられて押圧操作される操作部材と、
前記投写方向に沿って進退移動する第１操作伝達部材と、
軸部を有して前記操作部材と前記第１操作伝達部材との間に回動可能に設置され、前記操作部材と前記第１操作伝達部材とが前記軸部から離間してそれぞれ逆方向から当接する当接部を有する第２操作伝達部材と、を備え、
前記操作部材が押圧操作された際、前記第２操作伝達部材は、前記操作部材の押圧力を、前記軸部を中心に回転する回転方向の力に変換して前記第１操作伝達部材に伝達し、前記第１操作伝達部材は、前記第２操作伝達部材の前記回転方向の力を前記投写方向に直交する面内方向の力に変換して前記係合部材に伝達し、前記付勢部材の付勢力に抗して前記係合部材を前記非係合位置に移動させることを特徴とするプロジェクター。
【請求項２】
請求項１に記載のプロジェクターであって、
前記操作部材の前記押圧操作は、前記投写方向に対して反対方向に押圧され、
前記第２操作伝達部材の前記当接部は、前記第１操作伝達部材と当接する第１当接部と、前記操作部材と当接する第２当接部と、を有して構成され、
前記第１当接部および前記第２当接部は、前記投写方向に直交する面に沿って延出していることを特徴とするプロジェクター。
【請求項３】
請求項２に記載のプロジェクターであって、
前記軸部の中心軸を通る投写方向に直交する面内において、前記中心軸から前記操作部材が当接する前記第２当接部の当接部位までの直交距離は、前記第１操作伝達部材が当接する前記第１当接部の当接部位までの直交距離よりも長く構成されていることを特徴とするプロジェクター。
【請求項４】
請求項１〜請求項３のいずれか一項に記載のプロジェクターであって、
前記支持装置は、前記投写方向に直交する面内で移動して前記投写光学装置の投写位置を調整する移動部材を備えていることを特徴とするプロジェクター。
【請求項５】
請求項４に記載のプロジェクターであって、
前記移動部材は、前記着脱装置の前記係合部材、前記付勢部材、および前記第１操作伝達部材を支持していることを特徴とするプロジェクター。
【請求項６】
請求項５に記載のプロジェクターであって、
前記第２操作伝達部材は前記移動部材とは異なる部材に支持され、
前記第１操作伝達部材は、前記投写方向に直交する面に沿って延出し、前記第２操作伝達部材の前記第１当接部に当接する当接面を有し、
前記当接面および前記第１当接部の少なくともいずれか一方は、前記移動部材の移動方向に沿う長さ寸法が前記移動部材の設定された移動可能寸法以上に設定されていることを特徴とするプロジェクター。
【請求項７】
請求項５に記載のプロジェクターであって、
前記第２操作伝達部材は前記移動部材に支持され、
前記操作部材は、前記投写方向に直交する面に沿って延出し、前記第２操作伝達部材の前記第２当接部に当接する当接面を有し、
前記当接面および前記第２当接部の少なくともいずれか一方は、前記移動部材の移動方向に沿う長さ寸法が前記移動部材の設定された移動可能寸法以上に設定されていることを特徴とするプロジェクター。
【請求項８】
請求項１〜請求項７のいずれか一項に記載のプロジェクターであって、
前記第１操作伝達部材は、前記投写方向に沿って延出するロッドで構成され、
前記ロッドは、屈曲部を有するクランク状に形成され、
前記屈曲部の外面には、前記投写方向に直交する面に対して傾斜し、互いに対向する一対の押圧面が形成され、
前記係合部材は、前記投写方向に貫通して前記ロッドを挿通可能とし、周縁が前記一対の押圧面に当接する貫通孔を備えて構成されている
ことを特徴とするプロジェクター。
【請求項９】
請求項１〜請求項８のいずれか一項に記載のプロジェクターであって、
前記投写光学装置は、複数のレンズを内部に収納する円筒状の鏡筒を備え、
前記鏡筒の外周には、先端に前記係合用凹部を有する取付用突起部が形成され、
前記支持装置には、前記鏡筒を挿通可能とする円形状の挿通孔が形成され、
前記挿通孔の内周には、前記投写方向に沿って切り欠かれ前記取付用突起部を挿通可能とする突起挿通部と、前記突起挿通部に連設され前記鏡筒の筒状軸を中心とする回転方向に切り欠かれて前記取付用突起部を挿通可能とする突起係合部とが形成され、
前記支持装置は、前記突起係合部に連通し、前記係合部材の一部が前記突起係合部に突没可能に前記係合部材を収納支持する収納支持部を有し、
前記係合部材には、前記回転方向に沿って次第に前記突起挿通部に近接するように傾斜し、前記投写光学装置が前記回転方向に回転され前記取付用突起部が前記突起係合部に挿通される際に前記取付用突起部に当接する斜面が形成されている
ことを特徴とするプロジェクター。
【発明の詳細な説明】
【技術分野】
【０００１】
本発明は、プロジェクターに関する。
【背景技術】
【０００２】
従来、画像光を拡大投写する投写光学装置と、投写光学装置を収納する外装筐体とを備えたプロジェクターが知られている。また、このようなプロジェクターにおいて、投写光学装置（投写レンズ）を交換可能とする種々の技術が提案されている（例えば、特許文献１参照）。
【０００３】
特許文献１では、移動部材を有して投写光学装置の投写位置を調整する投写位置調整装置と、投写光学装置を交換可能とする着脱装置とを備えた構成が開示されている。着脱装置は、移動部材に支持されて投写光学装置の係合用凹部に係合する係合位置と係合用凹部に係合しない非係合位置との間を移動する係合部材や、外装筐体に露出して設置される操作部材や、移動部材に支持されて進退移動する操作伝達部材等を備えている。そして、操作部材が押圧操作された場合、操作伝達部材にこの押圧力が伝達され、係合部材を非係合位置に移動させることにより、投写光学装置を交換可能としている。
【先行技術文献】
【特許文献】
【０００４】
【特許文献１】特開２００９−１７５３５４号公報
【発明の概要】
【発明が解決しようとする課題】
【０００５】
しかし、特許文献１では、操作部材と操作伝達部材とが概ね直線上に設置され、操作部材の押圧方向と操作伝達部材の移動方向とが概ね直線的に重なる構成となっている。この構成のため、外装筐体に露出して設置される操作部材の設置位置の自由度が狭められるという課題があった。これにより、操作部材を含めたプロジェクターの外装デザインの自由度が狭められるという課題があった。
従って、外装筐体に露出して設置される操作部材の設置位置の自由度を向上させ、投写光学装置を交換する際の操作部材の操作性を向上させるプロジェクターが要望されていた。
【課題を解決するための手段】
【０００６】
本発明は、上述した課題の少なくとも一部を解決するためになされたものであり、以下の形態または適用例として実現することが可能である。
【０００７】
［適用例１］本適用例に係るプロジェクターは、（ａ）画像光を拡大投写すると共に、外面には内部に向けて窪む係合用凹部が形成される投写光学装置と、（ｂ）投写光学装置を支持する支持装置と、（ｃ）支持装置に対して投写光学装置を着脱する着脱装置と、（ｄ）投写光学装置、支持装置、および着脱装置を収納する外装筐体と、を備え、着脱装置は、（ｅ）投写方向に直交する面内で係合用凹部に係合する係合位置、および係合用凹部に係合しない非係合位置の間を移動する係合部材と、（ｆ）係合部材を係合位置に向けて付勢する付勢部材と、（ｇ）外装筐体に露出して設けられて押圧操作される操作部材と、（ｈ）投写方向に沿って進退移動する第１操作伝達部材と、（ｉ）軸部を有して操作部材と第１操作伝達部材との間に回動可能に設置され、操作部材と第１操作伝達部材とが軸部から離間してそれぞれ逆方向から当接する当接部を有する第２操作伝達部材と、を備え、操作部材が押圧操作された際、第２操作伝達部材は、操作部材の押圧力を、軸部を中心に回転する回転方向の力に変換して第１操作伝達部材に伝達し、第１操作伝達部材は、第２操作伝達部材の回転方向の力を投写方向に直交する面内方向の力に変換して係合部材に伝達し、付勢部材の付勢力に抗して係合部材を非係合位置に移動させることを特徴とする。
【０００８】
このようなプロジェクターによれば、係合部材、付勢部材、操作部材、第１操作伝達部材、および第２操作伝達部材を有し、支持装置に対して投写光学装置を着脱する着脱装置を備える。これにより、以下に示すように、外装筐体外部から支持装置に対して投写光学装置を着脱できる。利用者により操作部材が押圧操作されていない状態（通常状態）では、係合部材は、付勢部材の付勢力により、係合位置に位置する。投写光学装置が支持装置に設置されている状態では、投写光学装置の係合用凹部に係合部材が係合するため、投写光学装置を取り外すことが不可能な状態（取り付けられた状態）となる。一方、利用者により操作部材が押圧操作されると、第２操作伝達部材は、操作部材の押圧力を、軸部を中心に回転する回転方向の力に変換して第１操作伝達部材に伝達する。第１操作伝達部材は、第２操作伝達部材の回転方向の力を投写方向に直交する面内方向の力に変換して係合部材に伝達し、付勢部材の付勢力に抗して係合部材を非係合位置に移動させる。これにより、係合用凹部と係合部材との係合が解除されたロック解除状態となる。このため、投写光学装置を取り外すことが可能となる。
【０００９】
なお、第２操作伝達部材は、軸部を有して操作部材と第１操作伝達部材との間に回動可能に設置され、操作部材と第１操作伝達部材とが軸部から離間してそれぞれ逆方向から当接する当接部を有している。これにより、操作部材と第１操作伝達部材とを従来のように概ね直線上に設置する必要がなくなるため、外装筐体に露出して設置される操作部材の設置位置の自由度を向上させることができる。これにより、投写光学装置を交換する際の操作部材の操作性も向上させることができる。
【００１０】
［適用例２］上記適用例に係るプロジェクターにおいて、操作部材の押圧操作は、投写方向に対して反対方向に押圧され、第２操作伝達部材の当接部は、第１操作伝達部材と当接する第１当接部と、操作部材と当接する第２当接部と、を有して構成され、第１当接部および第２当接部は、投写方向に直交する面に沿って延出していることが好ましい。
【００１１】
このようなプロジェクターによれば、投写方向に直交する面に沿って延出する第１当接部と第２当接部を有する第２操作伝達部材を設置することにより、操作部材と第１操作伝達部材とを、投写方向に直交する面に沿って設置することができる。これにより、操作部材と第１操作伝達部材とを直線的に設置する必要がなく、設置の自由度を向上させることができる。
【００１２】
［適用例３］上記適用例に係るプロジェクターにおいて、軸部の中心軸を通る投写方向に直交する面内において、中心軸から操作部材が当接する第２当接部の当接部位までの直交距離は、第１操作伝達部材が当接する第１当接部の当接部位までの直交距離よりも長く構成されていることが好ましい。
【００１３】
このようなプロジェクターによれば、第２操作伝達部材は、軸部（中心軸）を中心（支点）として回動可能に設置され、第１操作伝達部材と操作部材とが軸部から離間して第１当接部と第２当接部とに当接することにより、第２動作伝達部材は、いわゆる「てこ」の構成と同様に構成される。従って、操作部材の押圧操作で、第１操作伝達部材を動作させる場合、第２操作伝達部材により、てこの原理を利用することができる。そして、軸部の中心軸を通る投写方向に直交する面内において、第２当接部の当接部位までの直交距離が第１当接部の当接部位までの直交距離よりも長く構成されることにより、第２当接部の当接部位までの直交距離が第１当接部の当接部位までの直交距離と同じに構成（操作部材と第１操作伝達部材とを直線的に設置する従来の場合に対応する構成）される場合に比べ、操作部材を軽い押圧力で押圧操作することで、第１操作伝達部材を押圧することができる。従って、投写光学装置を交換する際の操作部材の操作性を向上させることができる。
【００１４】
［適用例４］上記適用例に係るプロジェクターにおいて、支持装置は、投写方向に直交する面内で移動して投写光学装置の投写位置を調整する移動部材を備えていることが好ましい。
【００１５】
このようなプロジェクターによれば、移動部材により、投写方向に直交する面内、例えば、左右方向や上下方向に投写光学装置を移動させることができるため、例えば、スクリーン上の投写画像の位置を調整することができる。従って、プロジェクターの利便性を向上させることができる。
【００１６】
［適用例５］上記適用例に係るプロジェクターにおいて、移動部材は、着脱装置の係合部材、付勢部材、および第１操作伝達部材を支持していることが好ましい。
【００１７】
このようなプロジェクターによれば、着脱装置の係合部材、付勢部材、および第１操作伝達部材を移動部材に支持していない場合に比べて、係合部材、付勢部材、および第１操作伝達部材をコンパクトに構成することができる。そして、移動部材に支持される投写光学装置を着脱させるための動作を確実に行わせることができる。
【００１８】
［適用例６］上記適用例に係るプロジェクターにおいて、第２操作伝達部材は移動部材とは異なる部材に支持され、第１操作伝達部材は、投写方向に直交する面に沿って延出し、第２操作伝達部材の第１当接部に当接する当接面を有し、当接面および第１当接部の少なくともいずれか一方は、移動部材の移動方向に沿う長さ寸法が移動部材の設定された移動可能寸法以上に設定されていることが好ましい。
【００１９】
このようなプロジェクターによれば、第１操作伝達部材は移動部材に支持され、第２操作伝達部材は移動部材とは異なる部材に支持される場合、移動部材の設定された移動可能寸法の範囲内で、第１操作伝達部材が移動しても、第１操作伝達部材の当接面が第２操作伝達部材の第１当接部から（逆に、第１当接部が当接面から）外れることを防止することができる。
【００２０】
［適用例７］上記適用例に係るプロジェクターにおいて、第２操作伝達部材は移動部材に支持され、操作部材は、投写方向に直交する面に沿って延出し、第２操作伝達部材の第２当接部に当接する当接面を有し、当接面および第２当接部の少なくともいずれか一方は、移動部材の移動方向に沿う長さ寸法が移動部材の設定された移動可能寸法以上に設定されていることが好ましい。
【００２１】
このようなプロジェクターによれば、第２操作伝達部材が移動部材に支持される場合、移動部材の移動可能寸法の範囲内で、第２操作伝達部材が移動しても、操作部材の当接面が第２操作伝達部材の第２当接部から（逆に、第２当接部が当接面から）外れることを防止することができる。
【００２２】
［適用例８］上記適用例に係るプロジェクターにおいて、第１操作伝達部材は、投写方向に沿って延出するロッドで構成され、ロッドは、屈曲部を有するクランク状に形成され、屈曲部の外面には、投写方向に直交する面に対して傾斜し、互いに対向する一対の押圧面が形成され、係合部材は、投写方向に貫通してロッドを挿通可能とし、周縁が一対の押圧面に当接する貫通孔を備えて構成されていることが好ましい。
【００２３】
このようなプロジェクターによれば、第１操作伝達部材は、上述したロッドで構成されているため、利用者による操作部材の押圧操作に応じて投写方向に対して反対方向に移動することで一方の押圧面で貫通孔の周縁を押圧し、係合部材を投写方向と直交する面内で移動させて非係合位置に位置させることができる。また、例えば、上述した付勢部材がロッドを投写方向に付勢するように構成した場合、通常状態では、付勢部材の付勢力により、他方の押圧面で貫通孔の周縁を押圧し、係合部材を投写方向と直交する面内で移動させて係合位置に位置させることができる。従って、操作部材の押圧力を投写方向に直交する面内方向の力に変換して係合部材に伝達する構成を簡素な構成であるロッドで構成でき、ロッドにより係合部材を係合位置および非係合位置に容易に移動させることができる。
【００２４】
［適用例９］上記適用例に係るプロジェクターにおいて、投写光学装置は、複数のレンズを内部に収納する円筒状の鏡筒を備え、鏡筒の外周には、先端に係合用凹部を有する取付用突起部が形成され、支持装置には、鏡筒を挿通可能とする円形状の挿通孔が形成され、挿通孔の内周には、投写方向に沿って切り欠かれ取付用突起部を挿通可能とする突起挿通部と、突起挿通部に連設され鏡筒の筒状軸を中心とする回転方向に切り欠かれて取付用突起部を挿通可能とする突起係合部とが形成され、支持装置は、突起係合部に連通し、係合部材の一部が突起係合部に突没可能に係合部材を収納支持する収納支持部を有し、係合部材には、回転方向に沿って次第に突起挿通部に近接するように傾斜し、投写光学装置が回転方向に回転され取付用突起部が突起係合部に挿通される際に取付用突起部に当接する斜面が形成されていることが好ましい。
【００２５】
このようなプロジェクターによれば、投写光学装置を構成する鏡筒の外周には、先端に係合用凹部を有する取付用突起部が形成されている。また、支持装置には、内周に突起挿通部および突起係合部を有する挿通孔が形成されている。すなわち、支持装置と投写光学装置とは、いわゆるバヨネット式の接続構造で接続されている。
【００２６】
ここで、係合部材は、斜面が形成されていると共に、支持装置の収納支持部に収納支持された状態でその一部が突起係合部に突没可能に構成されている。これにより、上述した通常状態で、突起挿通部に取付用突起部を合わせて投写光学装置を挿通孔に挿通し、投写光学装置を回転させて取付用突起部を突起係合部に挿通させて移動部材に取り付ける際、斜面が取付用突起部に押圧され、係合部材が付勢部材の付勢力に抗して非係合位置に向けて移動することとなる。そして、投写光学装置をさらに回転させて取付用突起部の係合用凹部を係合部材の先端位置に位置させると、取付用突起部の押圧が解除されて、付勢部材の付勢力により係合部材が係合位置に移動し係合用凹部に係合する。そして、係合用凹部と係合部材との係合により、投写光学装置を回転できない状態となり、すなわち、移動部材に対して投写光学装置が取り付けられた状態となる。従って、操作部材を押圧操作して係合部材を非係合位置に移動させなくても、投写光学装置を回転させることで、投写光学装置を移動部材に取り付けることができ、利便性の向上がさらに図れる。
【００２７】
また、突起係合部内で取付用突起部と係合部材とが当接するため、利用者は、投写光学装置を挿通孔に挿通する際には手に負荷を感じることがなく、投写光学装置を回転させて取付用突起部を突起係合部に挿通する際に取付用突起部と突起係合部との当接により手に負荷を感じることとなる。このため、例えば、投写光学装置を挿通孔に挿通する際に手に負荷が感じられる構成と比較して、誤った取付状態で投写光学装置が放置されることなく、より確実に投写光学装置を支持装置に取り付けることができる。
【図面の簡単な説明】
【００２８】
【図１】実施形態に係るプロジェクターの外観を示す斜視図。
【図２】外装筐体の内部に収容される装置本体を模式的に示す図。
【図３】投写位置調整装置およびレンズ着脱装置の構造を示す斜視図。
【図４】移動部材およびレンズ着脱装置の一部を前面側の上方から見た分解斜視図。
【図５】伝達レバーを示す斜視図であり、（ａ）は伝達レバーを前面側の上方から見た斜視図、（ｂ）は伝達レバーを背面側の上方から見た斜視図。
【図６】伝達レバーおよび操作ボタンを前面側の上方から見た斜視図。
【図７】操作ボタンを前面側の上方から見た分解斜視図。
【図８】操作ボタンが押圧操作された状態を前面側の上方から見た斜視図。
【図９】通常状態（ロック状態）におけるレンズ着脱装置の一部を切断した主要断面図。
【図１０】通常状態（ロック状態）における移動部材、投写レンズ、レンズ着脱装置の一部を示す図であり、（ａ）は前面側から見た図、（ｂ）は（ａ）のＸI-ＸI線で切断した断面図。
【図１１】押圧状態（ロック解除状態）におけるレンズ着脱装置の一部を切断した主要断面図。
【図１２】押圧状態（ロック解除状態）における移動部材、投写レンズ、レンズ着脱装置の一部を示す図であり、（ａ）は前面側から見た図、（ｂ）は（ａ）のＸII-ＸII線で切断した断面図。
【発明を実施するための形態】
【００２９】
以下、実施形態を図面に基づいて説明する。
（実施形態）
【００３０】
〔プロジェクターの外観構成〕
図１は、実施形態に係るプロジェクター１の外観を示す斜視図である。詳細には、図１は、プロジェクター１が机上等に設置された状態を前面側の上方から見た斜視図である。図１を参照して本実施形態のプロジェクター１の外観構成を説明する。
【００３１】
なお、以降で記載する「上」、「下」、「左」、「右」は、図１における図面視において、上下左右に相当するものである。また、以下で記載する「前面」、「背面」も、図１における図面視における前面、背面に相当するものである。
【００３２】
プロジェクター１は、光源から射出された光束を画像情報に応じて変調して画像光を形成し、形成した画像光をスクリーン（図示省略）上に拡大投写する。プロジェクター１は、図１に示すように、外装を構成する外装筐体２を備える。
【００３３】
外装筐体２は、プロジェクター１の装置本体を収納する。この外装筐体２は、プロジェクター１の天面、前面、背面、および側面をそれぞれ構成するアッパーケース２１と、プロジェクター１の底面、前面、背面、および側面をそれぞれ構成するロアーケース２２とを備える。
【００３４】
外装筐体２の上面には、後述する投写位置調整装置５を構成する第１ダイヤル５４１および第２ダイヤル５５１が露出している。そして、利用者により各ダイヤル５４１，５５１が回転操作されることで、後述する投写レンズ３が上下方向および左右方向に移動し、スクリーン上の投写画像の位置（投写位置）が調整される。
【００３５】
また、外装筐体２の前面の左右方向略中央部分には、投写レンズ３の先端を露出させる露出用開口部２Ａが形成されている。さらに、外装筐体２の露出用開口部２Ａの右下部分には、後述するレンズ着脱装置６を構成する操作ボタン６５が露出している。利用者により、この操作ボタン６５が投写方向に対して反対方向に押圧操作されることで、投写レンズ３の交換が可能となる。
【００３６】
〔プロジェクターの内部構成〕
図２は、外装筐体２の内部に収容される装置本体を模式的に示す図である。図２を参照してプロジェクター１の内部構成を説明する。
【００３７】
外装筐体２の内部には、図２に示す装置本体が収納されている。装置本体は、投写光学装置としての投写レンズ３と、光学ユニット４と、投写位置調整装置５と、レンズ着脱装置６（図３参照）等を備える。なお、具体的な図示は省略するが、外装筐体２内において、各部材３〜６以外の空間には、プロジェクター１内部を冷却する冷却ファン等を備えた冷却ユニット、プロジェクター１の各構成部材に電力を供給する電源ユニット、プロジェクター１の各構成部材の動作を統括制御する制御装置等が配置されている。
【００３８】
〔光学ユニットの構成〕
光学ユニット４は、制御装置による制御の下、光源から射出された光束を光学的に処理して画像情報に対応した画像光を形成する。光学ユニット４は、図２に示すように、外装筐体２の背面に沿って左方向から右方向に延出し、さらに前方向に屈曲して延出する平面視略Ｌ字形状を有している。光学ユニット４は、光源装置４１と、照明光学装置４２と、色分離光学装置４３と、リレー光学装置４４と、光学装置４５と、これら各光学部品４１〜４５を収納する光学部品用筐体４６とを備える。
【００３９】
光学ユニット４は、図２に示すように、光源４１１およびリフレクター４１２を有する光源装置４１と、レンズアレイ４２１，４２２、偏光変換素子４２３、および重畳レンズ４２４を有する照明光学装置４２とを備えている。また、光学ユニット４は、ダイクロイックミラー４３１，４３２、および反射ミラー４３３を有する色分離光学装置４３と、入射側レンズ４４１、リレーレンズ４４３、および反射ミラー４４２，４４４を有するリレー光学装置４４とを備えている。
【００４０】
また、光学ユニット４は、光変調装置としての３つの液晶パネル４５１（赤色光用の液晶パネルを４５１Ｒ、緑色光用の液晶パネルを４５１Ｇ、青色光用の液晶パネルを４５１Ｂとする）、３つの入射側偏光板４５２、３つの射出側偏光板４５３、および色合成光学装置としてのクロスダイクロイックプリズム４５４を有する光学装置４５と、光学部品用筐体４６と、投写光学装置としての投写レンズ３とを備えている。
【００４１】
光学ユニット４は、上述した構成により、光源装置４１から射出されて照明光学装置４２を介した光束を、色分離光学装置４３で赤色（Ｒ）光、緑色（Ｇ）光、青色（Ｂ）光の３つの色光に分離する。また、分離された各色光は、各液晶パネル４５１で画像情報に応じてそれぞれ変調され、色光毎の画像光として形成される。色光毎の画像光は、クロスダイクロイックプリズム４５４に入射して合成され、投写レンズ３を介してスクリーン等に拡大投写される。なお、上述した各部材４１〜４６については、種々の一般的なプロジェクーの光学系として利用されているため、具体的な説明を省略する。
【００４２】
図３は、投写位置調整装置５およびレンズ着脱装置６の構造を示す斜視図である。詳細には、図３は、アッパーケース２１を取り外した状態で、露出用開口部２Ａ近傍を前面側の上方から見た斜視図である。図４は、移動部材５２およびレンズ着脱装置６の一部を前面側の上方から見た分解斜視図である。
【００４３】
〔投写レンズの構成〕
最初に、図４を参照して投写レンズ３の構成を説明する。
投写レンズ３は、光学ユニット４で形成された画像光をスクリーン上に拡大投写する。投写レンズ３は、具体的な図示は省略するが、鏡筒３１内に複数のレンズが収納された組レンズとして構成されている。鏡筒３１の先端側には、投写レンズ３を交換する際の目印となる円形状の凹部３１１が形成されている。
【００４４】
また、鏡筒３１の基端側には、レンズ軸を中心とする同一の周上に、レンズ軸を中心とする回転方向に延出する３つの取付用突起部３１２が形成されている。３つの取付用突起部３１２は、レンズ軸を中心とする略１２０°の回転対称位置に形成されている。
【００４５】
３つの取付用突起部３１２において、延出方向の一方の端部（前面側から見て時計回りの終端）は、レンズ軸に向うに従って取付用突起部３１２の延出方向の長さ寸法が次第に小さくなるように斜面３１２１が形成されている。３つの取付用突起部３１２のうち、１つの取付用突起部３１２Ａの先端部分の外面には、内部に向けて窪み、レンズ着脱装置６を構成する後述するロックスライダー６３と係合するための係合用凹部３１２２が形成されている。
【００４６】
〔投写位置調整装置の構成〕
次に、図３を参照して投写位置調整装置５の構成を説明する。
投写位置調整装置５は、投写レンズ３を支持する支持装置として構成され、投写レンズ３を支持すると共に、投写レンズ３を上下方向および左右方向に移動させることで、投写レンズ３の投写位置を調整する。
【００４７】
投写位置調整装置５は、図３に示すように、プロジェクター１内部に固定される固定部材５１と、投写レンズ３を支持して投写方向に直交する面内を上下方向および左右方向に移動する移動部材５２と、固定部材５１および移動部材５２間に介装され、移動部材５２に係合して移動部材５２と共に左右方向に移動する第２移動板５３とを備える。また、投写位置調整装置５は、第１ダイヤル５４１を有して移動部材５２を上下方向に移動させる第１調整駆動部５４と、第２ダイヤル５５１を有して第２移動板５３を左右方向に移動させる第２調整駆動部５５と、固定部材５１の背面側から固定部材５１に対して移動部材５２を移動可能に連結する連結部材（図示省略）とを備える。
【００４８】
そして、第１ダイヤル５４１が、利用者により回転操作されることで、第１調整駆動部５４を構成するウォーム等の伝達変換機構により、第１ダイヤル５４１の回転力が直線移動力に変換されて移動部材５２に伝達され、固定部材５１に対して移動部材５２が上下方向に移動する。移動部材５２が上下方向に移動することで、移動部材５２に接続する投写レンズ３の投写位置が上下方向に変更される。
【００４９】
また、第２ダイヤル５５１が、利用者により回転操作されることで、第２調整駆動部５５を構成するウォーム等の伝達変換機構により、第２ダイヤル５５１の回転力が直線移動力に変換されて第２移動板５３に伝達され、固定部材５１に対して第２移動板５３が左右方向に移動する。第２移動板５３が左右方向に移動することで、第２移動板５３に係合する移動部材５２が連動し、移動部材５２に接続する投写レンズ３の投写位置が左右方向に変更される。
【００５０】
なお、以下では、本実施形態の要部となるレンズ着脱装置６に関連する移動部材５２の構造を説明し、部材５１，５３〜５５等の他の部材の詳細な構造については説明を省略する。
【００５１】
〔第１移動板の構成〕
図３、図４を参照して第１移動板の構成を説明する。
移動部材５２は、図３、図４に示すように、第１移動板５６と取付部材５７とを備えている。第１移動板５６は、図４に示すように、平面視略矩形状の板体で構成されている。第１移動板５６の略中央部分には、鏡筒３１の外径寸法と略同一の寸法を有し、鏡筒３１の基端部分を挿通可能とする開口部５６１が形成されている。
【００５２】
また、第１移動板５６の前面側の端面には、右下の角隅部分にレンズ着脱装置６を構成する後述する第１付勢部材６１とロッド６２とロックスライダー６３とを支持する第１支持部５６２が形成されている。第１支持部５６２は、付勢部材収納部５６３と、一対のレール部５６４とを備える。付勢部材収納部５６３は、第１移動板５６の前面側の端面から突出して略矩形枠形状に形成されている。そして、付勢部材収納部５６３は、第１付勢部材６１が収納されると共に、ロッド６２の一端側を挿通可能とする。
【００５３】
一対のレール部５６４は、第１移動板５６の前面側の端面から突出して板状に形成されている。また、一対のレール部５６４は、付勢部材収納部５６３を挟んで各板面が互いに対向すると共に、各板面が右下から左上への方向（ロックスライダー６３の移動方向）に沿うように形成されている。そして、一対のレール部５６４は、その間にロックスライダー６３が配置され、ロックスライダー６３に当接した状態でロックスライダー６３の移動を案内する。
【００５４】
第１移動板５６の右上端部には、前方向に突出し、後述する伝達レバー６６を回動可能に支持するレバー支持部５６５が形成されている。レバー支持部５６５の先端近傍の左右側面には、中心軸が同一の２つの挿通孔５６５Ａが形成され、軸ピンＰＩが挿通される。
【００５５】
〔取付部材の構成〕
取付部材５７は、第１移動板５６に対して投写レンズ３を取り付ける。取付部材５７は、図４に示すように、略中央部分にレンズ挿通孔５７１を有する板状部５７Ａと、レンズ挿通孔５７１の周縁部分から板状部５７Ａの背面側に延出する略円形枠状の張出部５７Ｂとを備える。
【００５６】
レンズ挿通孔５７１は、前面側に位置して鏡筒３１の外径寸法よりも大きい寸法を有する第１レンズ挿通孔５７２と、背面側に位置して鏡筒３１の外径寸法と略同一の寸法を有する第２レンズ挿通孔５７３とで構成され、前面側から背面側にかけて段付き状に形成されている。
【００５７】
第２レンズ挿通孔５７３の内周には、投写レンズ３の３つの取付用突起部３１２に対応して、３つの取付用凹部５７４が形成されている。３つの取付用凹部５７４は、第１レンズ挿通孔５７２の内周と略面一となるように前面側から背面側にかけて切り欠かれた突起挿通部５７５と、突起挿通部５７５の背面側から、レンズ挿通孔５７１の中心軸を中心として前面側から見て時計回りに切り欠かれた突起係合部５７６とを備え、略Ｌ字形状を有している。以上のように構成される移動部材５２は、固定ネジ（図示省略）により、第１移動板５６の前面側に取付部材５７が固定される。
【００５８】
ここで、投写レンズ３の移動部材５２への取り付け方を説明する。
最初に、凹部３１１が上方側に位置するように投写レンズ３を持ち、取付部材５７の各突起挿通部５７５に各取付用突起部３１２を合わせた状態で、投写レンズ３をレンズ挿通孔５７１および開口部５６１に挿通する。そして、各取付用突起部３１２が第１移動板５６の前面側の端面に当接した際に、投写レンズ３を前面側から見て時計回りに回転させ、各取付用突起部３１２を各突起係合部５７６に移動させる。これにより、各突起係合部５７６と第１移動板５６の前面側の端面との間に各取付用突起部３１２が挟持された状態となり、移動部材５２に対して投写レンズ３が取り付けられる。投写レンズ３および移動部材５２は、いわゆるバヨネット式の構造で接続される。
【００５９】
板状部５７Ａの背面側の端面には、第１支持部５６２に対応した位置に、背面側に向けて突出する第２支持部５７７が形成されている。第２支持部５７７は、ロックスライダー６３の外形形状に対応した枠状に形成され、第１移動板５６と取付部材５７とが固定された状態で、第１支持部５６２とで第１付勢部材６１、ロッド６２、およびロックスライダー６３を支持する。第１支持部５６２および第２支持部５７７は、収納支持部５２Ａに相当する。言い換えると、第１付勢部材６１、ロッド６２、およびロックスライダー６３は、収納支持部５２Ａ（第１支持部５６２および第２支持部５７７）により、移動部材５２に支持される。
【００６０】
また、第２支持部５７７は、上方側の側壁部分が切り欠かれ、３つの取付用凹部５７４のうち取付用突起部３１２Ａに対応した取付用凹部５７４の突起係合部５７６に連通する（図１０（ｂ）、図１２（ｂ）参照）。さらに、板状部５７Ａの前面側の端面には、前面側に向けて突出する筒形状を有し、第２支持部５７７内部に連通するロッド挿通部５７８が形成されている。ロッド挿通部５７８は、収納支持部５２Ａに支持されたロッド６２の他端側を挿通可能とする。
【００６１】
〔レンズ着脱装置の構成〕
レンズ着脱装置６は、移動部材５２に対して投写レンズ３を着脱する。レンズ着脱装置６は、図３、図４に示すように、付勢部材としての第１付勢部材６１（図４参照）と、第１操作伝達部材としてのロッド６２と、係合部材としてのロックスライダー６３（図４参照）と、第２操作伝達部材としての伝達レバー６６と、第２付勢部材６４（図７参照）と、操作部材としての操作ボタン６５（図３参照）とを備える。
【００６２】
〔第１付勢部材の構成〕
第１付勢部材６１は、図４に示すように、コイルバネで構成され、付勢部材収納部５６３内に収納される。そして、第１付勢部材６１は、ロッド６２の一端に当接し、ロッド６２を投写方向に付勢する。
【００６３】
〔ロッドの構成〕
ロッド６２は、第１付勢部材６１の付勢力により投写方向に移動してロックスライダー６３を係合位置Ｐ１（図１０（ａ）参照）に移動させる。また、ロッド６２は、利用者による操作ボタン６５の押圧操作により、伝達レバー６６が押圧され、その伝達レバー６６の回転動作により、投写方向に対して反対方向に押圧される。この力の伝達により、ロッド６２は、最終的に、操作ボタン６５の押圧力を、投写方向に直交する面内方向の力に変換してロックスライダー６３に伝達し、ロックスライダー６３を非係合位置Ｐ２（図１２（ａ）参照）に移動させる。
【００６４】
ロッド６２は、図４に示すように、略中央部分に屈曲部６２１を有し、一端側と他端側とが投写方向に沿って略平行に延出するクランク状に形成されている。屈曲部６２１は、ロッド６２の一端側から他端側に向けて左上から右下に延出する略四角柱形状を有している。そして、屈曲部６２１の外面には、互いに対向し投写方向に直交する平面に対して傾斜した平坦状の第１押圧面６２２および第２押圧面６２３が形成されている。
【００６５】
ロッド６２は、一端側が付勢部材収納部５６３内に遊嵌状態で配設され、他端側がロッド挿通部５７８に挿通された状態で、投写方向に沿って進退自在に収納支持部５２Ａに支持される。なお、ロッド６２の他端は、投写方向に直交する面に沿って延出し、伝達レバー６６（後述するロッド当接部６６３１）に当接するレバー当接面６２４として機能する。
【００６６】
〔ロックスライダーの構成〕
ロックスライダー６３は、投写方向に直交する面内で、投写レンズ３の係合用凹部３１２２と係合する左上の係合位置Ｐ１、または、係合用凹部３１２２と係合しない右下の非係合位置Ｐ２に移動する。ロックスライダー６３は、図４に示すように、投写方向に直交する平面に沿って延出する板体で構成されている。ロックスライダー６３の外周端部には、収納支持部５２Ａに支持された状態で、一対のレール部５６４に当接する一対のレール当接面６３１が形成されている。
【００６７】
ロックスライダー６３の左上側端部には、係合用凹部３１２２と係合する係合用突部６３２が形成されている。係合用突部６３２は、先端に向うに従って断面積が小さくなる斜面６３２１を有している。また、ロックスライダー６３の略中央部分には、表裏を貫通し、収納支持部５２Ａに支持された状態で、付勢部材収納部５６３およびロッド６２が挿通する略矩形状の貫通孔６３３（図１０（ｂ）、図１２（ｂ）参照）が形成されている。
【００６８】
ロックスライダー６３の前面側の板面には、貫通孔６３３の周縁から前面側に向けて突出する矩形枠状のロッド案内部６３４が形成されている。また、ロッド案内部６３４の対向する一対の側壁には、屈曲部６２１の第１押圧面６２２および第２押圧面６２３にそれぞれ当接する第１押圧受け面６３５および第２押圧受け面６３６が形成されている。
【００６９】
〔伝達レバーの構成〕
図５は、伝達レバー６６を示す斜視図であり、図５（ａ）は、伝達レバー６６を前面側の上方から見た斜視図であり、図５（ｂ）は、伝達レバー６６を背面側の上方から見た斜視図である。また、図６は、伝達レバー６６および操作ボタン６５を前面側の上方から見た斜視図である。図４、図５、図６を参照して伝達レバー６６の構成を説明する。
【００７０】
伝達レバー６６は、操作ボタン６５が押圧操作された場合、その押圧力を後述する軸部を中心に回転する回転方向の力に変換してロッド６２に伝達する部材である。伝達レバー６６は、断面略Ｕ字状に延出するレバー本体６６１を有している。伝達レバー６６は、レバー本体６６１の右側に延びる側面部の下端部から右方向に曲折して延出するボタン側当接部６６２を有している。伝達レバー６６は、レバー本体６６１の左側に延びる側面部の中央部から下端部にかけて左方向に曲折して延出するロッド側当接部６６３を有している。
【００７１】
ボタン側当接部６６２は、詳細には、レバー本体６６１の右側に延びる側面部の下端部から右方向（水平方向）に曲折して延出する接続部６６２２と、接続部の前面側端部から上方向に曲折して延出するボタン当接部６６２１とで構成されている。なお、ボタン当接部６６２１は、操作ボタン６５と当接する第２当接部として構成されている。ボタン当接部６６２１の前面側の面に、操作ボタン６５の後述するレバー当接部６５６が当接する。
【００７２】
ロッド側当接部６６３は、詳細には、レバー本体６６１の左側に延びる側面部の中央部から下端部にかけて左方向（鉛直方向）に曲折して延出するロッド当接部６６３１と、ロッド当接部６６３１の下端部から背面側に延出する補強部６６３２とで構成されている。なお、ロッド当接部６６３１は、ロッド６２と当接する第１当接部として構成されている。ロッド当接部６６３１の背面側の面にロッド６２のレバー当接面６２４が当接する。
なお、ボタン当接部６６２１とロッド当接部６６３１とは、投写方向に直交する面に沿って延出する状態となる。
【００７３】
また、レバー本体６６１左右側の側面部の上端部には、中心軸が同一の２つの挿通孔６６１Ａが形成されている。そして、伝達レバー６６は、図４、図６に示すように、第１移動板５６のレバー支持部５６５を、レバー本体６６１の左右側の側面部で挟み込むように設置され、レバー支持部５６５の挿通孔５６５Ａと伝達レバー６６の挿通孔６６１Ａとに、軸ピンＰＩを挿通し、挿通した軸ピンＰＩをＥリングＥ１で止める。
【００７４】
これにより、伝達レバー６６は、操作ボタン６５とロッド６２との間に設置され、第１移動板５６（レバー支持部５６５）に対し、軸部（軸ピンＰＩ）を中心として、回動可能に支持される。なお、挿通孔５６５Ａ，６６１Ａ、軸ピンＰＩ、ＥリングＥ１により、軸部が構成される。また、伝達レバー６６のボタン当接部６６２１とロッド当接部６６３１には、操作ボタン６５とロッド６２とが軸部から離間してそれぞれ逆方向から当接する。
【００７５】
〔操作ボタンの構成〕
図７は、操作ボタン６５を前面側の上方から見た分解斜視図である。図６、図７を参照して操作ボタン６５の構成を説明する。
【００７６】
操作ボタン６５は、その一部が外装筐体２の前面から露出し、投写レンズ３の交換時に、利用者により投写方向に対して反対方向に押圧操作される操作用のボタンである。操作ボタン６５は、図６、図７に示すように、上方向からの平面視で略台形形状に形成されるボタン本体６５１を有して構成されている。
【００７７】
操作ボタン６５は、ボタン本体６５１の前面側に、ロアーケース２２の前面から露出し、前面の面形状に沿う板状に起立して形成されたボタン部６５２を有している。ボタン本体６５１の左右端部には、前面側から背面側に沿って上方向に起立したレール当接部６５３が形成されている。ボタン本体６５１の中央部分には、操作ボタン６５をロアーケース２２の後述する操作ボタン保持部２２５に移動可能に固定される固定用ダボ６５４が上方向に突出して形成されている。
【００７８】
固定用ダボ６５４の背面側には、第２付勢部材６４を収納する収納凹部６５５が形成されている。収納凹部６５５の左側の背面側端部には、上方向に起立するレバー当接部６５６が形成されている。なお、レバー当接部６５６の背面側の面が、レバー当接面６５６Ａとして機能する。このレバー当接面６５６Ａが、伝達レバー６６のボタン当接部６６２１に当接する。左側のレール当接部６５３とレバー当接部６５６との間には、後述する操作ロック板６５８を、固定ネジＳＣ２により固定する固定用ダボ６５７が上方向に突出して形成されている。
【００７９】
〔操作ロック板の構成〕
操作ロック板６５８は、操作ボタン６５の移動を規制する（押圧操作できない状態にする）部材である。操作ロック板６５８は、トラック形状の板状に形成されている。操作ロック板６５８は、一方の端部側に、固定用ダボ６５７に固定される孔部６５８１が形成されている。また、操作ロック板６５８は、他方の端部側に操作ロックネジＳＣ３と螺合するネジ孔６５８２が形成されている。
【００８０】
〔操作ボタン保持部の構成〕
操作ボタン保持部２２５は、操作ボタン６５を投写方向および投写方向と反対方向（前面側および背面側）に移動可能に保持するものであり、操作ボタン６５の左右側および上面側を覆うように凸状に起立して形成されている。操作ボタン保持部２２５の左右側面の内面には、レール部２２５１が形成されており、操作ボタン６５のレール当接部６５３を摺動させる。
【００８１】
操作ボタン保持部２２５の上面側中央部には、表裏に貫通する長孔部２２５２が形成されている。操作ボタン保持部２２５の左側面の背面側には、操作ロックネジＳＣ３を挿通する挿通孔２２５３Ａを有する挿通孔部２２５３が形成されている。また、操作ボタン保持部２２５には、操作ボタン６５の収納凹部６５５に対応して、上面側の背面端部から下方向に突出するバネ受部（図示省略）が形成されている。
【００８２】
〔操作ボタンの操作ボタン保持部への組み込み〕
図６、図７を参照して操作ボタン６５の操作ボタン保持部２２５への組み込みを説明する。
操作ボタン６５を操作ボタン保持部２２５へ組み込む場合、最初に、操作ボタン６５の両側のレール当接部６５３を、両側のレール部２２５１に当接させて、操作ボタン保持部２２５に前面側から背面側に向けて挿入する。
【００８３】
次に、第２付勢部材６４を操作ボタン保持部２２５の上方から長孔部２２５２を介して、収納凹部６５５に収納する。なお、第２付勢部材６４は、コイルバネで構成されている。第２付勢部材６４を収納凹部６５５に収納した場合、第２付勢部材６４の一端部は固定用ダボ６５４の側面に当接し、他端部は図示省略するバネ受部に当接する。
【００８４】
次に、固定ネジＳＣ１を円板部材Ｄ１に挿通し、長孔部２２５２を介して固定用ダボ６５４に螺合させる。これにより、操作ボタン６５が操作ボタン保持部２２５に保持され、レール部２２５１と長孔部２２５２とに案内されて摺動することにより、前面側および背面側に移動可能となる。次に、操作ロック板６５８を、固定ネジＳＣ２により孔部６５８１を介して固定用ダボ６５７に螺合して固定する。
以上の組み立てにより、操作ボタン６５は、操作ボタン保持部２２５に移動可能に保持され、第２付勢部材６４により、投写方向に付勢された状態となる。
【００８５】
〔操作ロック板の動作〕
図８は、操作ボタン６５が押圧操作された状態を前面側の上方から見た斜視図である。なお、前記した図６は、操作ボタン６５が押圧操作されていない状態（通常状態）を示し、図８は、操作ボタン６５が押圧操作された状態（押圧状態）を示している。図６〜図８を参照して操作ロック板の動作を説明する。
【００８６】
操作ロック板６５８は、上述したように、操作ボタン６５の押圧操作を規制する（押圧操作できない状態とする）部材である。操作ボタン６５は、通常状態では、図６に示すように、第２付勢部材６４により投写方向（前面側）に付勢されおり、その状態では、操作ボタン６５に固定された操作ロック板６５８のネジ孔６５８２は、挿通孔部２２５３の挿通孔２２５３Ａと重なる状態となる。
【００８７】
また、操作ボタン６５は、押圧状態では、図８に示すように、背面側（投写方向に対して反対方向）に移動する。この移動に従動して、操作ロック板６５８も移動する。これにより、押圧状態では、操作ロック板６５８のネジ孔６５８２は、挿通孔部２２５３の挿通孔２２５３Ａからずれて、背面側に移動した状態となる。
【００８８】
ここで、利用者は、操作ボタン６５を押圧操作できない状態、すなわち、投写レンズ３の交換を禁止する状態とする際には、図６、図７に示すように、通常状態において、操作ロックネジＳＣ３を操作ボタン保持部２２５に形成された挿通孔部２２５３の挿通孔２２５３Ａに下方向から挿通する。そして、挿通孔２２５３Ａの上方向に位置する操作ロック板６５８のネジ孔６５８２に螺合させる。
【００８９】
このように、操作ボタン６５の操作ロック板６５８に挿通孔部２２５３（挿通孔２２５３Ａ）を介して操作ロックネジＳＣ３を螺合させることにより、操作ボタン６５が、操作ボタン保持部２２５（挿通孔部２２５３）に固定される。この状態では、操作ボタン６５が押圧操作されても、操作ボタン６５が背面方向に移動できない、すなわち、押圧操作できない状態となる。
【００９０】
〔操作ボタン、伝達レバー、ロッドの当接関係〕
図６に示すように、操作ボタン６５のレバー当接部６５６（レバー当接面６５６Ａ）は、伝達レバー６６のボタン当接部６６２１の前面側に位置して、ボタン当接部６６２１の前面側の面に当接する。また、伝達レバー６６のロッド当接部６６３１は、ロッド６２のレバー当接面６２４の前面側に位置して、ロッド当接部６６３１の背面側の面がロッド６２のレバー当接面６２４に当接する。本実施形態の伝達レバー６６は、いわゆる「てこ」の構成と同様に構成されており、てこの原理を利用できる。
【００９１】
図６に示すように、中心軸Ａ１を通る投写方向に直交する面内において、中心軸Ａ１（支点）から、操作ボタン６５のレバー当接部６５６が当接する伝達レバー６６のボタン当接部６６２１（第２当接部）の当接部位（力点）までの直交距離を距離Ａとする。また、中心軸Ａ１を通る投写方向に直交する面内において、中心軸Ａ１から、ロッド６２のレバー当接面６２４が当接する伝達レバー６６のロッド当接部６６３１（第１当接部）の当接部位（作用点）までの直交距離を距離Ｂとする。
【００９２】
そして、距離Ａと距離Ｂとを比較した場合、本実施形態では、距離Ａが、距離Ｂよりも長くなるように設定されている。従って、本実施形態では、従来のように、操作部材と操作伝達部材とが概ね直線上に設置される場合に比較して、操作ボタン６５を軽い押圧力で押圧操作することで、その押圧力が回転方向の力としてレバー当接面６２４に伝達され、ロッド６２を押圧することができる。なお、操作部材と操作伝達部材とが概ね直線上に設置される従来構造を、本実施形態での部材を用いて例えた場合には、ロッド６２のレバー当接面６２４を、操作ボタン６５のレバー当接部６５６が直接押圧する場合に対応する。
【００９３】
本実施形態では、各ダイヤル５４１，５５１を回転させることにより、図示省略するが、移動部材５２（投写レンズ３）を、左上、右上、右下、および左下に、設定された離間距離を有して位置させることができる。
【００９４】
操作ボタン６５のレバー当接面６５６Ａは、上下方向の長さ寸法が、第１ダイヤル５４１を回転させた際の移動部材５２の上下方向の設定された移動可能寸法と略同一、若しくは若干大きくなるように設定されている。また、伝達レバー６６のボタン当接部６６２１は、左右方向の長さ寸法が、第２ダイヤル５５１を回転させた際の移動部材５２の左右方向の設定された移動可能寸法と略同一、若しくは若干大きくなるように設定されている。
【００９５】
そして、操作ボタン６５は、図３に示すように、各ダイヤル５４１，５５１が回転されて移動部材５２が上下方向の移動可能寸法の中心位置で、かつ、左右方向の移動可能寸法の中心位置に位置した際に、レバー当接面６５６Ａの略中心位置にボタン当接部６６２１の略中心位置が位置するように配設されている。これにより、各ダイヤル５４１，５５１が回転され、移動部材５２が、左上、右上、右下、および左下のいずれの位置に位置した状態でも、レバー当接面６５６Ａとボタン当接部６６２１とが当接可能となっている。
【００９６】
なお、本実施形態では、伝達レバー６６は移動部材５２に回転可能に支持され、ロッド６２も移動部材５２に支持されている。従って、伝達レバー６６のロッド当接部６６３１とロッド６２のレバー当接面６２４とは、各ダイヤル５４１，５５１が回転されて移動部材５２が移動してもその相対位置を変化させない。
【００９７】
〔レンズ着脱装置の動作〕
図９は、通常状態（ロック状態）におけるレンズ着脱装置６の一部を切断した主要断面図である。図１０は、通常状態（ロック状態）における移動部材５２、投写レンズ３、レンズ着脱装置６の一部を示す図であり、図１０（ａ）は、前面側から見た図であり、図１０（ｂ）は、図１０（ａ）のＸI-ＸI線で切断した断面図である。なお、図１０（ｂ）は、図１０（ａ）との大きさの比較において拡大して図示している。図１１は、押圧状態（ロック解除状態）におけるレンズ着脱装置６の一部を切断した主要断面図である。図１２は、押圧状態（ロック解除状態）における移動部材５２、投写レンズ３、レンズ着脱装置６の一部を示す図であり、図１２（ａ）は、前面側から見た図であり、図１２（ｂ）は、図１２（ａ）のＸII-ＸII線で切断した断面図である。なお、図１２（ｂ）は、図１２（ａ）との大きさの比較において拡大して図示している。図６、図９、図１０、および図８、図１１、図１２を参照してレンズ着脱装置６による投写レンズ３の着脱動作を説明する。
【００９８】
通常状態では、図６、図９に示すように、操作ボタン６５は、第２付勢部材６４により投写方向に付勢され、初期位置に位置している。伝達レバー６６は、図６、図９に示すように、操作ボタン６５のレバー当接面６５６Ａにより背面方向に押圧されていないため、操作ボタン６５とロッド６２との間に軸ピンＰＩを中心に初期位置に設置されている。また、ロッド６２も同様に、図６、図１０に示すように、伝達レバー６６のロッド当接部６６３１により背面方向に押圧されていないため、第１付勢部材６１により投写方向に付勢され、初期位置に位置している。
【００９９】
この場合、ロックスライダー６３は、図１０に示すように、第１押圧受け面６３５がロッド６２の第１押圧面６２２により押圧され、一対のレール部５６４に案内されながら左上の係合位置Ｐ１に移動し、係合用突部６３２が投写レンズ３の係合用凹部３１２２と係合する（ロック状態）。そして、ロック状態では、係合用凹部３１２２と係合用突部６３２との係合により、投写レンズ３を前面側から見て反時計回りに回転させることができない状態となり、投写レンズ３を移動部材５２から取り外すことが不可能な状態となる。
【０１００】
一方、操作ボタン６５は、押圧操作された押圧状態では、図８、図１１に示すように、第２付勢部材６４の付勢力に抗して、初期位置から背面方向に移動し、レバー当接面６５６Ａにより伝達レバー６６を押圧する。伝達レバー６６は、操作ボタン６５により押圧されると、図８、図１１に示すように、軸ピンＰＩを中心に初期位置から背面方向に回転することで、ロッド当接部６６３１によりロッド６２を押圧する。ロッド６２は、伝達レバー６６により押圧されると、図８、図１２に示すように、第１付勢部材６１の付勢力に抗して、初期位置から背面方向に移動する。
【０１０１】
この場合、ロックスライダー６３は、図１２に示すように、第２押圧受け面６３６がロッド６２の第２押圧面６２３により押圧され、一対のレール部５６４に案内されながら右下の非係合位置Ｐ２に移動し、係合用凹部３１２２に対する係合用突部６３２の係合が解除される（ロック解除状態）。そして、ロック解除状態では、投写レンズ３を前面側から見て反時計回りに回転させることが可能な状態となり、投写レンズ３を移動部材５２から取り外すことが可能な状態となる。
【０１０２】
なお、上記では、移動部材５２に投写レンズ３が取り付けられた状態、および移動部材５２から投写レンズ３を取り外し可能な状態をそれぞれ説明したが、移動部材５２に投写レンズ３を取り付ける際には、レンズ着脱装置６は、以下に示すように動作する。
【０１０３】
すなわち、レンズ着脱装置６が上述した通常状態の場合、各突起挿通部５７５に各取付用突起部３１２を挿通し、投写レンズ３を前面側から見て時計回りに回転させて各取付用突起部３１２を各突起係合部５７６に移動させると、取付用突起部３１２Ａの斜面３１２１がロックスライダー６３の斜面６３２１を押圧する。そして、ロックスライダー６３は、係合用突部６３２が取付用突起部３１２Ａの外周端部に摺接しつつ、一対のレール部５６４に案内されながら右下に移動する。
【０１０４】
投写レンズ３をさらに回転させて、係合用突部６３２の先端位置に係合用凹部３１２２が位置すると、取付用突起部３１２Ａからロックスライダー６３への押圧が解除され、ロックスライダー６３は、第１付勢部材６１の付勢力により一対のレール部５６４に案内されながら左上の係合位置Ｐ１に移動し、係合用突部６３２が係合用凹部３１２２と係合する（図１０に示す状態）。
【０１０５】
上述した実施形態によれば、以下の効果が得られる。
本実施形態のプロジェクター１は、ロックスライダー６３、第１付勢部材６１、操作ボタン６５、ロッド６２、および伝達レバー６６を有し、移動部材５２に対して投写レンズ３を着脱するレンズ着脱装置６を備える。これにより、以下に示すように、外装筐体２外部から移動部材５２に対して投写レンズ３を着脱できる。利用者により操作ボタン６５が押圧操作されていない状態（通常状態）では、ロックスライダー６３は、第１付勢部材６１の付勢力により、係合位置Ｐ１に位置する。投写レンズ３が移動部材５２に設置されている状態では、投写レンズ３の係合用凹部３１２２にロックスライダー６３の係合用突部６３２が係合するため、投写レンズ３を取り外すことが不可能な状態（取り付けられた状態）となる。一方、利用者により操作ボタン６５が押圧操作された状態（押圧状態）では、伝達レバー６６は、操作ボタン６５の押圧力を、軸部（軸ピンＰＩ）を中心に回転する回転方向の力に変換してロッド６２に伝達する。そして、ロッド６２は、伝達レバー６６の回転方向の力を投写方向に直交する面内方向の力に変換してロックスライダー６３に伝達し、第１付勢部材６１の付勢力に抗してロックスライダー６３を非係合位置Ｐ２に移動させる。これにより、係合用凹部３１２２とロックスライダー６３（係合用突部６３２）との係合が解除されたロック解除状態となる。このため、投写レンズ３を取り外すことが可能となる。
【０１０６】
本実施形態のプロジェクター１は、投写レンズ３を移動部材５２に取り付ける際には、操作ボタン６５を押圧操作しなくても、通常状態において、各突起挿通部５７５に各取付用突起部３１２を挿通し、投写レンズ３を前面側から見て時計回りに回転させて各取付用突起部３１２を各突起係合部５７６に移動させることでよい。この動作により、取付用突起部３１２Ａの斜面３１２１がロックスライダー６３の斜面６３２１を押圧することにより、ロックスライダー６３は、右下に移動する。そして、投写レンズ３をさらに回転させて、係合用突部６３２の先端位置に係合用凹部３１２２が位置すると、ロックスライダー６３は、係合位置Ｐ１に移動し、係合用突部６３２が係合用凹部３１２２と係合することで、投写レンズ３を移動部材５２に取り付けられる。
【０１０７】
本実施形態のプロジェクター１は、伝達レバー６６が、軸部（軸ピンＰＩ）を有して操作ボタン６５とロッド６２との間に回動可能に設置され、操作ボタン６５とロッド６２とが軸ピンＰＩから離間してそれぞれ逆方向から当接する当接部（レバー当接部６５６、レバー当接面６２４）を有している。これにより、操作ボタン６５とロッド６２とを従来のように概ね直線上に設置する必要がなくなるため、外装筐体２に露出して設置される操作ボタン６５の設置位置の自由度を向上させることができる。これにより、操作ボタン６５の位置も自由に設定することができるため、押圧し易い位置に設置でき、投写レンズ３を交換する際の操作ボタン６５の操作性を向上させることができる。
【０１０８】
本実施形態のプロジェクター１は、伝達レバー６６が、投写方向に直交する面に沿って延出するボタン当接部６６２１（第２当接部）とロッド当接部６６３１（第１当接部）を有することにより、操作ボタン６５とロッド６２とを、投写方向に直交する面に沿って設置することができる。これにより、操作ボタン６５とロッド６２とを直線的に設置する必要がなく、設置の自由度を向上させることができる。
【０１０９】
本実施形態のプロジェクター１は、伝達レバー６６において、軸ピンＰＩの中心軸Ａ１を通る投写方向に直交する面内で、中心軸Ａ１から操作ボタン６５が当接するボタン当接部６６２１の当接部位までの直交距離（距離Ａ）が、ロッド６２が当接するロッド当接部６６３１の当接部位までの直交距離（距離Ｂ）より長く設定されている。これにより、従来のように、操作部材と操作伝達部材とが概ね直線上に設置される場合と比較して、操作ボタン６５を軽い押圧力で押圧操作することで、押圧状態（ロック解除状態）とさせることができる。従って、投写レンズ３を交換する際の操作ボタン６５の操作性を向上させることができる。
【０１１０】
本実施形態のプロジェクター１は、支持装置として移動部材５２を備えている。これにより、投写方向に直交する面内で、左右方向や上下方向に投写レンズ３を移動させることができるため、スクリーン上の投写画像の位置を調整することができる。従って、プロジェクター１の利便性を向上させることができる。
【０１１１】
本実施形態のプロジェクター１は、移動部材５２は、レンズ着脱装置６のロックスライダー６３、第１付勢部材６１、およびロッド６２を支持している。これにより、ロックスライダー６３、第１付勢部材６１、およびロッド６２をコンパクトに構成することができる。そして、移動部材５２に支持される投写レンズ３を着脱させるための動作を確実に行わせることができる。
【０１１２】
本実施形態のプロジェクター１は、移動部材５２が伝達レバー６６を支持している。また、操作ボタン６５は、投写方向に直交する面に沿って延出し、伝達レバー６６のボタン当接部６６２１に当接するレバー当接面６５６Ａを有している。ボタン当接部６６２１は、移動部材５２の左右方向の移動に沿う長さ寸法が移動部材５２の設定された移動可能寸法以上に設定されている。また、レバー当接面６５６Ａは、移動部材５２の上下方向の移動に沿う長さ寸法が移動部材５２の設定された移動可能寸法以上に設定されている。これにより、移動部材５２の移動可能寸法の範囲内で、伝達レバー６６が上下左右に移動しても、レバー当接面６５６Ａがボタン当接部６６２１から外れることを防止することができる。
【０１１３】
本実施形態のプロジェクター１は、ロッド６２は、投写方向に沿って延出し、屈曲部６２１を有するクランク状に形成され、屈曲部６２１の外面には、投写方向に直交する面に対して傾斜し、互いに対向する一対の押圧面（第１押圧面６２２、第２押圧面６２３）が形成されている。また、ロックスライダー６３は、投写方向に貫通してロッド６２を挿通可能とし、周縁が一対の押圧面（第１押圧面６２２、第２押圧面６２３）に当接する貫通孔６３３を備えている。利用者による操作ボタン６５の押圧操作に応じてロッド６２が背面方向に移動することで第２押圧面６２３で第２押圧受け面６３６を押圧し、ロックスライダー６３を投写方向と直交する面内で移動させて非係合位置Ｐ２に位置させることができる。また、第１付勢部材６１がロッド６２を投写方向に付勢するため、通常状態では、第１付勢部材６１の付勢力により、第１押圧面６２２で第１押圧受け面６３５を押圧し、ロックスライダー６３を投写方向と直交する面内で移動させて係合位置Ｐ１に位置させることができる。従って、操作ボタン６５の押圧力を投写方向に直交する面内方向の力に変換してロックスライダー６３に伝達する構成を簡素な構成であるロッド６２で構成でき、ロッド６２によりロックスライダー６３を係合位置Ｐ１および非係合位置Ｐ２に容易に移動させることができる。
【０１１４】
本実施形態のプロジェクター１において、ロックスライダー６３は、斜面６３２１が形成されていると共に、移動部材５２の収納支持部５２Ａに収納支持された状態でその一部が突起係合部５７６に突没可能に構成されている。これにより、通常状態で、突起挿通部５７５に取付用突起部３１２Ａを合わせて投写レンズ３を第１レンズ挿通孔５７２に挿通し、投写レンズ３を回転させて取付用突起部３１２Ａを突起係合部５７６に挿通させて移動部材５２に取り付ける際、斜面６３２１が取付用突起部３１２Ａに押圧され、ロックスライダー６３が第１付勢部材６１の付勢力に抗して非係合位置Ｐ２に向けて移動することとなる。そして、投写レンズ３をさらに回転させて取付用突起部３１２Ａの係合用凹部３１２２をロックスライダー６３の先端位置に位置させると、取付用突起部３１２Ａの押圧が解除されて、第１付勢部材６１の付勢力によりロックスライダー６３が係合位置Ｐ１に移動し係合用凹部３１２２に係合する。そして、係合用凹部３１２２とロックスライダー６３との係合により、投写レンズ３を回転できない状態となり、移動部材５２に対して投写レンズ３が取り付けられた状態となる。従って、操作ボタン６５を押圧操作してロックスライダー６３を非係合位置Ｐ２に移動させなくても、投写レンズ３を回転させることで、投写レンズ３を移動部材５２に取り付けることができ、利便性の向上がさらに図れる。
【０１１５】
また、突起係合部５７６内で取付用突起部３１２Ａとロックスライダー６３とが当接するため、利用者は、投写レンズ３を第１レンズ挿通孔５７２に挿通する際には手に負荷を感じることがなく、投写レンズ３を回転させて取付用突起部３１２Ａを突起係合部５７６に挿通する際に取付用突起部３１２Ａと突起係合部５７６との当接により手に負荷を感じることとなる。このため、投写レンズ３を第１レンズ挿通孔５７２に挿通する際に手に負荷が感じられる構成と比較して、誤った取付状態で投写レンズ３が放置されることなく、より確実に投写レンズ３を移動部材５２に取り付けることができる。
【０１１６】
なお、上述した実施形態に限定されず、その要旨を逸脱しない範囲において種々の変更や改良等を加えて実施することが可能である。変形例を以下に述べる。
【０１１７】
前記実施形態のプロジェクター１は、伝達レバー６６において、中心軸Ａ１を通る投写方向に直交する面内で、中心軸Ａ１から操作ボタン６５が当接するボタン当接部６６２１の当接部位までの直交距離（距離Ａ）が、ロッド６２が当接するロッド当接部６６３１の当接部位までの直交距離（距離Ｂ）より長く設定されている。しかし、これに限られず、距離Ａが距離Ｂと同じに設定されていてもよいし、距離Ａが距離Ｂより短く設定されていてもよい。これにより、押圧力の大きさの設定の自由度が向上する。
【０１１８】
前記実施形態のプロジェクター１は、ロッド６２と伝達レバー６６とが移動部材５２に支持されている。しかし、伝達レバー６６は移動部材５２とは異なる別部材に支持されていてもよい。この場合、各ダイヤル５４１，５５１が回転されて移動部材５２が、左上、右上、右下、および左下のいずれの位置に位置した状態でも、伝達レバー６６のロッド当接部６６３１と、ロッド６２のレバー当接面６２４との少なくともいずれか一方は、移動部材５２の移動方向に沿う長さ寸法が移動部材５２の設定された移動可能寸法以上に設定することでよい。これにより、移動部材５２の設定された移動可能寸法の範囲内で、ロッド６２が移動しても、レバー当接面６２４がロッド当接部６６３１から（逆に、ロッド当接部６６３１がレバー当接面６２４から）外れることを防止することができる。
【０１１９】
前記実施形態のプロジェクター１は、支持装置として、投写レンズ３を左右方向や上下方向に移動させる移動部材５２を備えている。しかし、これに限られず、支持装置は、投写レンズ３を移動させずに支持するのみの構成であってもよい。
【０１２０】
前記実施形態のプロジェクター１は、Ｒ光、Ｇ光、Ｂ光に対応する３つの液晶パネル４５１を用いる、いわゆる３板方式を採用している。しかし、これに限られず、単板方式の液晶パネルを採用してもよい。また、コントラストを向上させるための液晶パネルを追加して採用してもよい。
【０１２１】
前記実施形態において、光変調装置は、透過型の液晶パネル４５１を用いているが、反射型の液晶パネル等、反射型の光変調装置を用いることも可能である。また、一般に、入射する光束を画像情報に基づいて変調するものであればよく、例えば、マイクロミラー型の光変調装置等、他の方式の光変調装置を採用することができる。なお、マイクロミラー型の光変調装置としては、例えば、ＤＭＤ（Digital Micromirror Device）を採用することができる。
【符号の説明】
【０１２２】
１…プロジェクター、２…外装筐体、３…投写レンズ（投写光学装置）、６…レンズ着脱装置（着脱装置）、３１…鏡筒、５２…移動部材（支持装置）、５２Ａ…収納支持部、６１…第１付勢部材（付勢部材）、６２…ロッド（第１操作伝達部材）、６３…ロックスライダー（係合部材）、６４…第２付勢部材、６５…操作ボタン（操作部材）、６６…伝達レバー（第２操作伝達部材）、３１２Ａ…取付用突起部、５７１…レンズ挿通孔、５７４…取付用凹部、５７５…突起挿通部、５７６…突起係合部、６２１…屈曲部、６２２…第１押圧面、６２３…第２押圧面、６２４…レバー当接面（当接面）、６３２…係合用突部、６３３…貫通孔、６５６Ａ…レバー当接面（当接面）、３１２１…斜面、３１２２…係合用凹部、６６２１…ボタン当接部（第２当接部）、６６３１…ロッド当接部（第１当接部）、Ａ１…中心軸、Ｐ１…係合位置、Ｐ２…非係合位置、ＰＩ…軸ピン（軸部）。
【図１】
2014071193.tif 000003
【図２】
2014071193.tif 000004
【図３】
2014071193.tif 000005
【図４】
2014071193.tif 000006
【図５】
2014071193.tif 000007
【図６】
2014071193.tif 000008
【図７】
2014071193.tif 000009
【図８】
2014071193.tif 000010
【図９】
2014071193.tif 000011
【図１０】
2014071193.tif 000012
【図１１】
2014071193.tif 000013
【図１２】
2014071193.tif 000014